(57)【要約】      （修正有）【課題】特殊サブフレーム内の干渉除去方法を提供する。【解決手段】低電力ノード（ＬＰＮ）の特殊サブフレームにおける下りパイロットタイムスロットが高電力ノード（ＨＰＮ）の上り受信に干渉を与えないように、ＨＰＮとＬＰＮとの採用可能な特殊サブフレームの長さ設定をそれぞれ決定し、ＨＰＮおよびＬＰＮが、決定された採用可能な特殊サブフレームの長さ設定の中から、自局で採用される特殊サブフレームの長さ設定をそれぞれ選択する。【選択図】図４
2012095279.tif 000002
【特許請求の範囲】
【請求項１】
特殊サブフレーム内の干渉除去方法であって、
低電力ノード（ＬＰＮ）の特殊サブフレームにおける下りパイロットタイムスロットが高電力ノード（ＨＰＮ）の上り受信に干渉を与えないように、ＨＰＮとＬＰＮとの採用可能な特殊サブフレームの長さ設定をそれぞれ決定し、
ＨＰＮおよびＬＰＮは、決定された採用可能な特殊サブフレームの長さ設定の中から、自局で採用される特殊サブフレームの長さ設定をそれぞれ選択する、
ことを含むことを特徴とする方法。
【請求項２】
ＬＰＮの採用可能な特殊サブフレームの長さ設定を決定することは、
ＬＰＮの採用可能な特殊サブフレームの長さ設定には、ガード間隔と上りパイロットタイムスロットとの長さがいずれも１個のシンボルである長さ設定が含まれないように決定する、
ことを含むことを特徴とする請求項１に記載の方法。
【請求項３】
特殊サブフレーム内の干渉除去方法であって、
高電力ノード（ＨＰＮ）は、低電力ノード（ＬＰＮ）の特殊サブフレームにおける下りパイロットタイムスロットが自局の上り受信に干渉を与えるかどうかを監視し、ＨＰＮの上り受信が周りのＬＰＮの特殊サブフレームにおける下りパイロットタイムスロットからの干渉を受ける場合、ＨＰＮまたはＬＰＮの特殊サブフレームの長さ設定を調整する、
ことを含むことを特徴とする方法。
【請求項４】
前記ＨＰＮが、ＬＰＮの特殊サブフレームにおける下りパイロットタイムスロットが自局の上り受信に干渉を与えるかどうかを監視することは、
ＨＰＮが、受信された上り同期コードを復調し、復調性能が所定の時間帯で所定の閾値より低い場合、ＨＰＮの上り受信が周りのＬＰＮの特殊サブフレームにおける下りパイロットタイムスロットからの干渉を受けると判定する、
ことを含むことを特徴とする請求項３に記載の方法。
【請求項５】
前記ＨＰＮの特殊サブフレームの長さ設定を調整することは、
ＨＰＮが、自局の特殊サブフレームにおける上りパイロットタイムスロットの長さを１シンボル長減少させる、
ことを含むことを特徴とする請求項３または４に記載の方法。
【請求項６】
ＨＰＮは、特殊サブフレームの総長さが変わらないように、自局の特殊サブフレームにおけるガード間隔と下りパイロットタイムスロットとの長さを再設定する、
ことをさらに含むことを特徴とする請求項５に記載の方法。
【請求項７】
ＨＰＮの上り受信が周りのＬＰＮの特殊サブフレームにおける下りパイロットタイムスロットからの干渉を受ける場合、ＬＰＮに対し、自局の上り受信が該ＬＰＮの特殊サブフレームにおける下りパイロットタイムスロットからの干渉を受けている旨を通知する、ことをさらに含み、
前記ＬＰＮの特殊サブフレームの長さ設定を調整することは、ＬＰＮが、自局の特殊サブフレームにおける下りパイロットタイムスロットの長さを１シンボル長減少させる、ことを含む、
ことを特徴とする請求項３または４に記載の方法。
【請求項８】
ＨＰＮは、ＨＰＮとＬＰＮとの間のインタフェースを介して、または、コアネットワークを介して、ＬＰＮに通知する、
ことを特徴とする請求項７に記載の方法。
【請求項９】
ＬＰＮは、特殊サブフレームの総長さが変わらないように、自局の特殊サブフレームにおける上りパイロットタイムスロットとガード間隔との長さを再設定する、
ことをさらに含むことを特徴とする請求項７に記載の方法。
【発明の詳細な説明】
【技術分野】
【０００１】
本発明は、３Ｇ長期的進化（ＬＴＥ：Ｌｏｎｇ  Ｔｅｒｍ  Ｅｖｏｌｕｔｉｏｎ）技術に関し、特に、ＬＴＥシステムにおける時間遅延に起因する特殊サブフレーム内の干渉の除去方法に関する。
【背景技術】
【０００２】
広帯域アクセス技術の挑戦に対処し、かつ、増加しつつある新たなサービスの需要を満たすために、第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、２００４年末から３Ｇ  ＬＴＥ技術の標準化作業を開始したことで、スペクトル効率をさらに向上させ、セル端ユーザの性能を改善し、システム遅延を低下させ、高速移動ユーザに更なる高速のアクセスサービスを提供することなどを図る。
【０００３】
図１は、ＬＴＥシステムで定義された特殊サブフレームの構造を示す。図１に示すように、特殊サブフレームには、下りパイロットタイムスロット（ＤｗＰＴＳ）、ガード間隔（ＧＰ）、および上りパイロットタイムスロット（ＵｐＰＴＳ）という３つの部分が含まれる。ＬＴＥシステムにおいて、通常サイクリックプレフィックス（ＣＰ：Ｃｙｃｌｉｃ  Ｐｒｅｆｉｘ）を採用した場合は、特殊サブフレームの長さ設定が合計９種類サポートされる一方、拡張ＣＰを採用した場合は、特殊サブフレームの長さ設定が合計７種類サポートされる。表１は、ＬＴＥシステムで通常ＣＰおよび拡張ＣＰが採用される場合の特殊サブフレームの長さ設定を示す。表１から分かるように、ＬＴＥシステムにおいて、ＧＰの長さおよび位置は共に変更可能なものである。これは、主に各種サイズのセル半径に適応するためである。ここで、ＧＰの長さは、主にセル半径によって決定される。一般的に、大きい半径のセルに対応するＧＰの長さは、小さい半径のセルに対応するＧＰの長さより大きい。
【０００４】
【表１】
2012095279.tif 000003
【０００５】
異種ネットワークは、システムスループットとネットワーク全体の効率とを著しく向上させる技術である。異種ネットワークとは、少なくとも１つの低電力ノード（ＬＰＮ：Ｌｏｗ  Ｐｏｗｅｒ  Ｎｏｄｅ）が１つの高電力ノード（ＨＰＮ：Ｈｉｇｈ  Ｐｏｗｅｒ  Ｎｏｄｅ）のカバレッジ領域内に配置されることで、同じカバレッジの異なるノードタイプを形成する異種システムを指す。ここで、ＨＰＮとは、送信電力が比較的高くてカバー半径が比較的大きい基地局（例えば、マクロセルラー基地局など）を指す。ＬＰＮとは、送信電力が比較的低くてカバー半径が比較的小さい基地局（例えば、小セルラー基地局、マイクロセルラー基地局、ミリマイクロセルラー基地局、およびリモートラジオヘッド（ＲＲＨ：Ｒｅｍｏｔｅ  Ｒａｄｉｏ  Ｈｅａｄ）やリレー（Ｒｅｌａｙ）など）を指す。
【発明の概要】
【発明が解決しようとする課題】
【０００６】
上記のように、異種ネットワークというシナリオで、時分割複信（ＴＤＤ）の改善された長期的進化（ＬＴＥ−Ａ）システムにおいて、異なる半径のさまざまなセルが存在する。つまり、異種ネットワークというシナリオで、各セルの特殊サブフレームの設定はいずれも、異なる可能性がある。例えば、１つのＨＰＮのカバレッジ範囲内にたくさんのＬＰＮがある可能性があり、かつ、これらのＬＰＮの特殊サブフレームの設定と、ＨＰＮの特殊サブフレームの設定とが異なる可能性が高い。ＬＰＮのカバー半径がＨＰＮのカバー半径よりずっと小さいので、一般的に、ＬＰＮのＧＰの長さはある程度短くなる。このように、伝送遅延が存在しているので、ＬＰＮのＤｗＰＴＳとＨＰＮのＵｐＰＴＳとは、時間上で重なりが発生する可能性がある。このとき、ＬＰＮの特殊サブフレームにおける下りＤｗＰＴＳは、ＨＰＮの上り受信に干渉を与える恐れがある。これにより、システム性能の低下を招く。
【０００７】
図２（ａ）〜（ｄ）は、通常ＣＰを採用した場合、ＬＰＮの特殊サブフレームにおけるＤｗＰＴＳがＨＰＮの上り受信に干渉を与える４種類の可能な組み合わせを示す。ここで、図２（ａ）〜（ｄ）のいずれにおいても、ＬＰＮは、番号が４である特殊サブフレームの長さ設定を採用し、つまり、この長さ設定では、ＤｗＰＴＳ、ＧＰ、ＵｐＰＴＳの長さが、それぞれ１２、１、１個のシンボルである。一方、図２（ａ）〜（ｄ）において、ＨＰＮは、番号が５、６、７および８である特殊サブフレームの長さ設定をそれぞれ採用し、つまり、このときのＤｗＰＴＳ、ＧＰ、ＵｐＰＴＳの長さが、それぞれ（３、９、２）、（９、３、２）、（１０、２、２）および（１１、１、２）個のシンボルである。図２（ａ）〜（ｄ）のいずれかに示した状況で、理論上、時間遅延が１つのＣＰの長さを超え、かつ、ＨＰＮとＬＰＮとの間の距離が１４０６メートル以上である場合に、ＬＰＮの特殊サブフレームにおけるＤｗＰＴＳは、ＨＰＮの上り受信に干渉を与える恐れがある。しかしながら、実際のネットワークにおいて、反射、屈折などの実際状況が存在しているので、ＨＰＮとＬＰＮとの間の距離が１４０６メートル未満である場合にも、上記のような干渉が発生する恐れがある。従って、実際のネットワークにおいて、このような干渉はよく発生したものである。以下、さらに、干渉が発生したときの信号対雑音比を計算する。ＨＰＮとＬＰＮとの間の距離が１４０６メートルであり、ＨＰＮユーザとＨＰＮとの間の距離が１０００メートルであり、採用されたパスロスモデルがＬ＝１２８．１＋３７．６ｌｏｇ１０（Ｒ）であると仮定する。このとき、ＬＰＮおよびＨＰＮユーザの送信電力は、それぞれ３０ｄＢｍおよび２３ｄＢｍである。ＬＰＮの送信アンテナ利得とＨＰＮの受信アンテナ利得とは、いずれも５ｄＢｉである。それでは、ＨＰＮで受信された干渉電力Ｐｒ１およびデータ電力Ｐｒ２は、それぞれ数式１および２に示す通りであり、受信信号対雑音比は、数式３に示す通りである。数式１〜３から分かるように、時間遅延に起因するこのような特殊サブフレーム内の干渉は、システムへの影響が大きく、ＨＰＮが上り受信を正常に行えないことにつながる恐れがある。
［数式１］
Ｐｒ１＝ｐｔ１−Ｌ１＋５＋５＝３０−（１２８．１＋３７．６ｌｏｇ１０（１．４０６））＋１０＝−９３．６６ｄＢｍ
［数式２］
Ｐｒ２＝ｐｔ２−Ｌ２＋５＝２３−（１２８．１＋３７．６ｌｏｇ１０（１））＋５＝−１００．１ｄＢｍ
［数式３］
ＳＩＮＲ＝Ｐｒ２−Ｐｒ１＝−６．４４ｄＢ
【０００８】
図３（ａ）〜（ｃ）は、拡張ＣＰを採用した場合、ＬＰＮの特殊サブフレームにおけるＤｗＰＴＳがＨＰＮの上り受信に干渉を与える３種類の可能な組み合わせを示す。ここで、図３（ａ）〜（ｃ）のいずれにおいても、ＬＰＮは、番号が３である特殊サブフレームの長さ設定を採用し、つまり、この長さ設定では、ＤｗＰＴＳ、ＧＰ、ＵｐＰＴＳの長さが、それぞれ１０、１および１である。一方、図３（ａ）〜（ｃ）において、ＨＰＮは、番号が４、５、および６である特殊サブフレームの長さ設定を採用し、つまり、このときのＤｗＰＴＳ、ＧＰ、ＵｐＰＴＳの長さが、（３、７、２）、（８、２、２）および（９、１、２）である。図３（ａ）〜（ｃ）のいずれかに示した状況で、理論上、時間遅延が１つの拡張ＣＰの長さを超え、かつ、ＨＰＮとＬＰＮとの間の距離が５００１メートル以上である場合に、干渉が発生する。しかしながら、実際のネットワークにおいて、反射、屈折などの実際状況が存在しているので、距離が５００１メートル未満である場合にも、このような干渉が発生する恐れがある。従って、実際のネットワークにおいて、このような干渉はよく発生したものである。同様に、干渉が発生したときの信号対雑音比をさらに計算することができる。ＨＰＮとＬＰＮとの間の距離が５０００メートルであり、ＨＰＮユーザとＨＰＮとの間の距離が４０００メートルであり、採用されたパスロスモデルがＬ＝１２８．１＋３７．６ｌｏｇ１０（Ｒ）であると仮定する。このとき、ＬＰＮおよびＨＰＮユーザの送信電力は、それぞれ３０ｄＢｍおよび２３ｄＢｍである。ＬＰＮの送信アンテナ利得とＨＰＮの受信アンテナ利得とは、いずれも５ｄＢｉである。それでは、ＨＰＮで受信された干渉電力Ｐｒ１およびデータ電力Ｐｒ２は、それぞれ数式４および５に示す通りであり、受信信号対雑音比は、数式６に示す通りである。数式４〜６から分かるように、時間遅延に起因するこのような特殊サブフレーム内の干渉は、システムへの影響が大きく、ＨＰＮが上り受信を正常に行えないことにつながる恐れがある。
［数式４］
Ｐｒ１＝ｐｔ１−Ｌ１＋５＋５＝３０−（１２８．１＋３７．６ｌｏｇ５）＋５＋５＝−１１４．３８ｄＢｍ
［数式５］
Ｐｒ２＝ｐｔ２−Ｌ２＋５＝２３−（１２８．１＋３７．６ｌｏｇ４）＋５＝−１２２．７４ｄＢｍ
［数式６］
ＳＩＮＲ＝Ｐｒ２−Ｐｒ１＝−８．３６ｄＢ
【０００９】
また、時分割−同期符号分割多重接続（ＴＤ−ＳＣＤＭＡ）システムにおいても、時間遅延に起因する類似の特殊サブフレーム内の干渉が存在している。従って、このような干渉をどのように回避するかが、ＬＴＥシステムの解決すべき課題の１つとなっている。
【課題を解決するための手段】
【００１０】
上記の課題を解決するために、本発明は、特殊サブフレーム内の干渉除去方法を複数提供し、時間遅延に起因するＬＰＮの特殊サブフレームにおける下りＤｗＰＴＳによるＨＰＮの上り受信への干渉を除去し、システムの性能を向上させることができる。
【００１１】
本発明では、特殊サブフレーム内の干渉除去方法が開示されている。該方法は、ＬＰＮの特殊サブフレームにおける下りパイロットタイムスロットがＨＰＮの上り受信に干渉を与えないように、ＨＰＮとＬＰＮとの採用可能な特殊サブフレームの長さ設定をそれぞれ決定し、ＨＰＮおよびＬＰＮが、決定された採用可能な特殊サブフレームの長さ設定の中から、自局で採用される特殊サブフレームの長さ設定をそれぞれ選択する、ことを含む。
【００１２】
ここで、ＬＰＮの採用可能な特殊サブフレームの長さ設定を決定することは、ＬＰＮの採用可能な特殊サブフレームの長さ設定には、ガード間隔と上りパイロットタイムスロットとの長さがいずれも１個のシンボルである長さ設定が含まれないように決定する、ことを含む。
【００１３】
また、本発明では、特殊サブフレーム内の干渉除去方法がもう１つ開示されている。該方法は、ＨＰＮが、ＬＰＮの特殊サブフレームにおける下りパイロットタイムスロットが自局の上り受信に干渉を与えるかどうかを監視し、ＨＰＮの上り受信が周りのＬＰＮの特殊サブフレームにおける下りパイロットタイムスロットからの干渉を受ける場合、ＨＰＮまたはＬＰＮの特殊サブフレームの長さ設定を調整する、ことを含む。
【００１４】
ここで、前記ＨＰＮが、ＬＰＮの特殊サブフレームにおける下りパイロットタイムスロットが自局の上り受信に干渉を与えるかどうかを監視することは、ＨＰＮが、受信された上り同期コードを復調し、復調性能が所定の時間帯で所定の閾値より低い場合、ＨＰＮの上り受信が周りのＬＰＮの特殊サブフレームにおける下りパイロットタイムスロットからの干渉を受けると判定する、ことを含む。
【００１５】
上記ＨＰＮの特殊サブフレームの長さ設定を調整することは、ＨＰＮが、自局の特殊サブフレームにおける上りパイロットタイムスロットの長さを１シンボル長減少させる、ことを含む。
【００１６】
上記の方法は、ＨＰＮが、特殊サブフレームの総長さが変わらないように、自局の特殊サブフレームにおけるガード間隔と下りパイロットタイムスロットとの長さを再設定する、ことをさらに含むことができる。
【００１７】
上記の方法は、ＨＰＮの上り受信が周りのＬＰＮの特殊サブフレームにおける下りパイロットタイムスロットからの干渉を受ける場合、ＬＰＮに対し、自局の上り受信が該ＬＰＮの特殊サブフレームにおける下りパイロットタイムスロットからの干渉を受けている旨を通知する、ことをさらに含むこともできる。このとき、ＬＰＮの特殊サブフレームの長さ設定を調整することは、ＬＰＮが、自局の特殊サブフレームにおける下りパイロットタイムスロットの長さを１シンボル長減少させる、ことを含む。
【００１８】
本ステップで、ＨＰＮは、ＨＰＮとＬＰＮとの間のインタフェースを介して、または、コアネットワークを介して、ＬＰＮに通知することができる。
【００１９】
この場合、上記の方法は、ＬＰＮが、特殊サブフレームの総長さが変わらないように、自局の特殊サブフレームにおける上りパイロットタイムスロットとガード間隔との長さを再設定する、ことをさらに含むこともできる。
【発明の効果】
【００２０】
ここで、第１種の方法は、特殊サブフレームの若干設定を制限することにより、特殊サブフレーム内の干渉除去を実現する。一方、ほかの方法は、データタイムスロットを占用せずに、時間遅延に起因する特殊サブフレーム内の干渉を適応的に除去することを実現することができる。本発明に係る方法によれば、ＬＴＥ異種ネットワークというシナリオで、ＨＰＮの上り受信をより正確に行うことができる。
【図面の簡単な説明】
【００２１】
【図１】ＬＴＥシステムにおける特殊サブフレームの構造を示す図である。
【図２（ａ）】通常ＣＰを採用した場合に、ＨＰＮの上り受信がＬＰＮのＤｗＰＴＳからの干渉を受ける４種類の組み合わせを示す図である。
【図２（ｂ）】通常ＣＰを採用した場合に、ＨＰＮの上り受信がＬＰＮのＤｗＰＴＳからの干渉を受ける４種類の組み合わせを示す図である。
【図２（ｃ）】通常ＣＰを採用した場合に、ＨＰＮの上り受信がＬＰＮのＤｗＰＴＳからの干渉を受ける４種類の組み合わせを示す図である。
【図２（ｄ）】通常ＣＰを採用した場合に、ＨＰＮの上り受信がＬＰＮのＤｗＰＴＳからの干渉を受ける４種類の組み合わせを示す図である。
【図３（ａ）】拡張ＣＰを採用した場合に、ＨＰＮの上り受信がＬＰＮのＤｗＰＴＳの干渉を受ける３種類の組み合わせを示す図である。
【図３（ｂ）】拡張ＣＰを採用した場合に、ＨＰＮの上り受信がＬＰＮのＤｗＰＴＳの干渉を受ける３種類の組み合わせを示す図である。
【図３（ｃ）】拡張ＣＰを採用した場合に、ＨＰＮの上り受信がＬＰＮのＤｗＰＴＳの干渉を受ける３種類の組み合わせを示す図である。
【図４】本発明の実施例１に係る特殊サブフレーム内の干渉除去方法のフローチャートである。
【図５】本発明の実施例２に係る特殊サブフレーム内の干渉除去方法のフローチャートである。
【図６（ａ）】本発明の実施例２に係る方法を採用した後、通常ＣＰおよび拡張ＣＰを採用した場合の伝送を示す図である。
【図６（ｂ）】本発明の実施例２に係る方法を採用した後、通常ＣＰおよび拡張ＣＰを採用した場合の伝送を示す図である。
【図７】本発明の実施例３に係る特殊サブフレーム内の干渉除去方法のフローチャートである。
【図８（ａ）】本発明の実施例３に係る方法を採用した後、通常ＣＰおよび拡張ＣＰを採用した場合の伝送を示す図である。
【図８（ｂ）】本発明の実施例３に係る方法を採用した後、通常ＣＰおよび拡張ＣＰを採用した場合の伝送を示す図である。
【発明を実施するための形態】
【００２２】
以下、本発明の実施例を参照して、本発明の特殊サブフレーム内の干渉除去方法を詳しく説明する。
【００２３】
（実施例１）
図２（ａ）〜（ｄ）および図３（ａ）〜（ｃ）から分かるように、通常ＣＰを採用した場合、干渉が発生したとき、ＬＰＮで採用されたのは、全て番号が４である特殊サブフレームの長さ設定であり、つまり、このときのＤｗＰＴＳ、ＧＰ、ＵｐＰＴＳの長さは、それぞれ１２、１、１個のシンボルである。一方、拡張ＣＰを採用した場合、干渉が発生したとき、ＬＰＮで採用されたのは、全て番号が３である特殊サブフレームの長さ設定であり、つまり、ＤｗＰＴＳ、ＧＰ、ＵｐＰＴＳの長さは、それぞれ１０、１、１個のシンボルである。つまり、干渉が発生したとき、ＬＰＮの特殊サブフレームにおけるＧＰとＵｐＰＴＳとの長さは、いずれも１個のシンボルである。このように、本実施例で採用された特殊サブフレーム内の干渉除去方法は、ＬＰＮが上記２つの特殊サブフレームの長さ設定を採用するということを禁止するものであり、つまり、決定されたＬＰＮの採用可能な特殊サブフレームの長さ設定には、ＧＰとＵｐＰＴＳとの長さがいずれも１個のシンボルである長さ設定が含まれない。図４に示すように、具体的な方法は、主に下記のステップを含む。
【００２４】
ステップ１０１で、ＬＰＮの特殊サブフレームにおける下りＤｗＰＴＳがＨＰＮの上り受信に干渉を与えないように、ＨＰＮとＬＰＮとの採用可能な特殊サブフレームの長さ設定をそれぞれ決定する。
【００２５】
具体的に、ＬＴＥシステムにおいて、ＨＰＮの採用可能な特殊サブフレームの長さ設定は、表１に示す通りである一方、ＬＰＮの採用可能な特殊サブフレームの長さ設定は、表２に示す通りである。
【００２６】
【表２】
2012095279.tif 000004
【００２７】
表１と表２との特殊サブフレームの長さ設定の比較から分かるように、ＬＰＮの特殊サブフレームにおける下りＤｗＰＴＳによるＨＰＮの上り受信への干渉を除去するために、ＬＰＮの採用可能な特殊サブフレームの長さ設定には、通常ＣＰを採用した場合の、番号が４である特殊サブフレームの長さ設定が含まれないようにし（即ち、ＤｗＰＴＳ、ＧＰ、ＵｐＰＴＳの長さがそれぞれ１２、１、１個のシンボルである長さ設定を採用しない）、かつ、拡張ＣＰを採用した場合の、番号が３である特殊サブフレームの長さ設定が含まれないようにする（即ち、ＤｗＰＴＳ、ＧＰ、ＵｐＰＴＳの長さがそれぞれ１０、１、１個のシンボルである長さ設定を採用しない）。
【００２８】
ステップ１０２で、ＨＰＮおよびＬＰＮは、決定された採用可能な特殊サブフレームの長さ設定の中から、自局で採用される特殊サブフレームの長さ設定をそれぞれ選択する。
【００２９】
上記の説明から分かるように、本実施例において、決定されたＬＰＮの採用可能な特殊サブフレームの長さ設定には、その下りＤｗＰＴＳがＨＰＮの上り受信に干渉を与える恐れがある長さ設定が含まれないので、時間遅延が発生したときでも、ＬＰＮの特殊サブフレームにおける下りＤｗＰＴＳは、ＨＰＮの上り受信に干渉を与えることがない。
【００３０】
実施例１における特殊サブフレーム内の干渉除去方法では、ＬＰＮの採用可能な特殊サブフレームの長さ設定を予め決定することにより、ＬＰＮの特殊サブフレームにおけるＤｗＰＴＳがＨＰＮの上り受信に干渉を与える恐れがあるさまざまな可能な状況を根本的に除去する。これ以外、下記のような動的調整を採用してもよい。即ち、ＨＰＮは、まず、その周りのＬＰＮの特殊サブフレームにおけるＤｗＰＴＳが自局の上り受信に干渉を与えるかどうかを監視し、ＨＰＮの上り受信が周りのＬＰＮの特殊サブフレームにおけるＤｗＰＴＳからの干渉を受ける場合、ＨＰＮまたはＬＰＮの特殊サブフレームの長さ設定を調整することにより、ＬＰＮの特殊サブフレームにおけるＤｗＰＴＳによるＨＰＮの上り受信への干渉を除去する。具体的な実現方法は、下記の実施例２と３を参照する。
【００３１】
（実施例２）
図５は、本実施例に係る特殊サブフレーム内の干渉除去方法のフローを示す。該方法は、主に下記のステップを含む。
【００３２】
ステップ２０１で、ＨＰＮは、受信された上り同期コード（ＳＹＮＣ＿ＵＬ）を復調し、復調性能が所定の時間帯で所定の閾値より低い場合、ＨＰＮの上り受信が周りのＬＰＮの特殊サブフレームにおけるＤｗＰＴＳからの干渉を受けると判定する。
【００３３】
本ステップにおける所定の時間帯と所定の閾値とは、測定により得られた実際の無線通信環境に従って、計算して設定することができる。
【００３４】
ステップ２０２で、ＨＰＮは、自局の特殊サブフレームにおけるＵｐＰＴＳの長さを、１シンボル長減少させ、例えば、２シンボル長から１シンボル長に減少させる。
【００３５】
具体的に、本ステップにおいて、ＨＰＮは、自局の特殊サブフレームにおけるＵｐＰＴＳの長さを１シンボル長減少させる際に、相応的に、特殊サブフレームの総長さが変わらないように、自局の特殊サブフレームにおけるＧＰとＤｗＰＴＳとの長さを再設定することができる。例えば、ＨＰＮは、ＵｐＰＴＳの長さが１シンボル長であることを満たすときの特殊サブフレームの長さ設定を、表１から再選択することができる。
【００３６】
図６（ａ）と（ｂ）は、本実施例に係る方法を採用した後、通常ＣＰおよび拡張ＣＰを採用した場合の伝送を示す図である。図６（ａ）と（ｂ）から分かるように、本実施例に係る方法を採用した後、時間遅延に起因するこのような特殊サブフレームの干渉は、有効に回避することができる。
【００３７】
（実施例３）
図７は、本実施例に係る特殊サブフレーム内の干渉除去方法のフローを示す。該方法は、主に下記のステップを含む。
【００３８】
ステップ３０１で、ＨＰＮは、受信された上り同期コード（ＳＹＮＣ＿ＵＬ）を復調し、復調性能が所定の時間帯で所定の閾値より低い場合、ＨＰＮの上り受信が周りのＬＰＮの特殊サブフレームにおけるＤｗＰＴＳからの干渉を受けると判定する。
【００３９】
本ステップにおける所定の時間帯と所定の閾値とは、測定により得られた実際の無線通信環境に従って、計算して設定することができる。
【００４０】
ステップ３０２で、ＨＰＮは、ＬＰＮに対し、自局の上り受信が該ＬＰＮの特殊サブフレームにおけるＤｗＰＴＳからの干渉を受けている旨を通知する。
【００４１】
本ステップにおいて、ＨＰＮは、ＨＰＮとＬＰＮとの間のインタフェース（例えば、Ｘ２インタフェース）を介してＬＰＮに通知してもよく、または、コアネットワークを介してＬＰＮに通知してもよい。
【００４２】
ステップ３０３で、ＬＰＮは、自局の特殊サブフレームにおけるＤｗＰＴＳの長さを、１シンボル長減少させ、例えば、通常ＣＰを採用した場合、１２シンボル長から１１シンボル長に減少させ、または、拡張ＣＰを採用した場合、１０シンボル長から９シンボル長に減少させる。
【００４３】
具体的に、本ステップにおいて、ＬＰＮは、自局の特殊サブフレームにおけるＤｗＰＴＳの長さを１シンボル長減少させる際に、相応的に、特殊サブフレームの総長さが変わらないように、自局の特殊サブフレームにおけるＵｐＰＴＳとＧＰとの長さを再設定することができる。例えば、ＬＰＮは、ＤｗＰＴＳの長さが１シンボル長減少したことを満たすとき（例えば、通常ＣＰを採用した場合、ＤｗＰＴＳの長さが１１シンボル長であるとき、または、拡張ＣＰを採用した場合、ＤｗＰＴＳの長さが９シンボル長であるとき）の特殊サブフレームの長さ設定を、表１から再選択することができる。
【００４４】
図８（ａ）と（ｂ）は、本実施例に係る方法を採用した後、通常ＣＰおよび拡張ＣＰを採用した場合の伝送を示す図である。図８（ａ）と（ｂ）から分かるように、本実施例に係る方法を採用した後、時間遅延に起因するこのような特殊サブフレームの干渉は、有効に回避することができる。
【００４５】
また、さらに、実施例２または３に係る方法を採用した後、干渉が再発生する可能性を簡単に計算することができる。実施例２または３に係る方法を採用した後、時間遅延が１シンボル長プラス１個のＣＰ長より大きい場合にのみ、干渉が再発生する。この場合、通常ＣＰにとって、干渉が発生したとき、ＨＰＮとＬＰＮとの間の最短距離が２２８３５メートルであることが要求されるが、拡張ＣＰにとって、干渉が発生したとき、ＨＰＮとＬＰＮとの間の最短距離が３００００メートルであることが要求される。しかしながら、実際の応用では、一般的なセル半径がいずれも、上記２つの値に達することができない。ここから分かるように、実施例２または３に係る方法を採用した後、干渉が再発生する可能性が極めて低い。これも、本発明の実施例２または３に係る方法によって、時間遅延に起因するこのような特殊サブフレーム内の干渉を十分有効に除去できる、ということを証明する。
【００４６】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2012095279.tif 000005
【図２（ａ）】
2012095279.tif 000006
【図２（ｂ）】
2012095279.tif 000007
【図２（ｃ）】
2012095279.tif 000008
【図２（ｄ）】
2012095279.tif 000009
【図３（ａ）】
2012095279.tif 000010
【図３（ｂ）】
2012095279.tif 000011
【図３（ｃ）】
2012095279.tif 000012
【図４】
2012095279.tif 000013
【図５】
2012095279.tif 000014
【図６（ａ）】
2012095279.tif 000015
【図６（ｂ）】
2012095279.tif 000016
【図７】
2012095279.tif 000017
【図８（ａ）】
2012095279.tif 000018
【図８（ｂ）】
2012095279.tif 000019